(57)【特許請求の範囲】
【請求項１】
第１方向に延在する複数の走査線と、
前記第１方向に交差する第２方向に延在する複数の信号線と、
前記複数の信号線の各々に対応する複数の表示素子を前記第１方向に配列した複数の素子行が前記第２方向に並置された素子部とを具備し、
前記複数の素子行の各々は、表示光の出射の方向が相違する複数の第１表示素子および複数の第２表示素子を含み、かつ、前記素子部において、前記第２方向には前記第１表示素子と前記第２表示素子とが配列し、
前記複数の走査線は、２以上の素子行の各々に属するとともに別個の信号線に対応する２以上の前記第１表示素子が各々に接続された複数の第１走査線と、２以上の素子行の各々に属するとともに別個の信号線に対応する２以上の前記第２表示素子が各々に接続された複数の第２走査線とを含む
表示装置。
【請求項２】
前記各第１表示素子と前記各第２表示素子とは前記第１方向および前記第２方向の各々に沿って交互に配列し、
開口部と遮光部とが前記第１方向および前記第２方向の各々に沿って交互に配列する光分離体を具備し、
前記光分離体の前記開口部を通過した前記第１表示素子の表示光と、前記光分離体の前記開口部を通過した前記第２表示素子の表示光とは別方向に進行する
請求項１の表示装置。
【請求項３】
前記複数の表示素子の各々における印加電圧の極性が、同じ走査線に接続されて隣り合う各信号線に対応する各表示素子にて逆極性となり、かつ、前記第２方向に隣り合う前記第１表示素子と前記第２表示素子とを単位として反転するように、前記複数の表示素子の各々の印加電圧を設定する駆動回路
を具備する請求項２の表示装置。
【請求項４】
前記複数の表示素子の各々における印加電圧の極性が、同じ走査線に接続されて隣り合う各信号線に対応する各表示素子にて逆極性となり、かつ、前記第２方向に隣り合う前記第１表示素子と前記第２表示素子とで逆極性となるように、前記複数の表示素子の各々の印加電圧を設定する駆動回路
を具備する請求項２の表示装置。
【請求項５】
前記複数の表示素子の各々における印加電圧の極性が、同じ走査線に接続されて隣り合う各信号線に対応する各表示素子にて逆極性となり、かつ、前記第２方向に隣り合う前記第１表示素子と前記第２表示素子とで同極性となるように、前記複数の表示素子の各々の印加電圧を設定する駆動回路
を具備する請求項２の表示装置。
【請求項６】
前記複数の表示素子の各々は複数の表示色の何れかに対応し、
前記複数の走査線の各々に接続された複数の表示素子を各表示色に対応する所定個毎に区分した複数の素子群の各々における表示素子の印加電圧の極性が、同じ素子群内で同極性となり、かつ、同じ走査線に接続されて前記第１方向に隣り合う各素子群にて反転し、かつ、前記第２方向に隣り合う前記第１表示素子と前記第２表示素子とを単位として反転するように、前記複数の表示素子の各々の印加電圧を設定する駆動回路
を具備する請求項２の表示装置。
【請求項７】
前記駆動回路は、
前記複数の第１走査線の各々と複数の第２走査線の各々とを前記第２方向に沿った順番で選択期間毎に交互に選択する走査線駆動回路と、
前記各表示素子の印加電圧を指定するデータ電圧を前記選択期間毎に前記各信号線に出力する信号線駆動回路とを含む
請求項３から請求項６の何れかの表示装置。
【請求項８】
前記駆動回路は、
前記複数の第１走査線の各々を第１期間内の各選択期間にて順次に選択するとともに前記第１期間の経過後の第２期間内の各選択期間にて前記複数の第２走査線の各々を順次に選択する走査線駆動回路と、
前記各表示素子の印加電圧を指定するデータ電圧を前記選択期間毎に前記各信号線に出力する信号線駆動回路とを含む
請求項３から請求項６の何れかの表示装置。
【請求項９】
前記駆動回路は、
前記複数の走査線の各々を順次に選択する走査線駆動回路と、
前記各表示素子の印加電圧を指定するデータ電圧を前記選択期間毎に前記各信号線に出力する信号線駆動回路とを含み、
前記信号線駆動回路は、前記第１方向に配列する前記各素子群に対応する複数の分配回路を具備し、
前記各素子群に対応する分配回路は、当該素子群における複数の表示素子の各々の印加電圧を時分割で指定する原信号を複数の系統に分配することでデータ電圧を生成する
請求項６の表示装置。
【請求項１０】
表示光の出射の方向が相違する第１表示素子と第２表示素子とが、相互に交差する第１方向および第２方向に沿って交互に配列された素子部と、
前記第１方向に延在する第１走査線および第２走査線とを具備し、
前記第１走査線には、奇数行目の奇数列目の前記第１表示素子と偶数行目の偶数列目の前記第１表示素子とが接続され、
前記第２走査線には、奇数行目の偶数列目の前記第２表示素子と偶数行目の奇数列目の前記第２表示素子とが接続される
表示装置。
【請求項１１】
請求項１から請求項１０の何れかの表示装置を具備する電子機器。
【請求項１２】
第１方向に延在する複数の走査線と、前記第１方向に交差する第２方向に延在する複数の信号線と、前記複数の信号線の各々に対応する複数の表示素子を前記第１方向に配列した複数の素子行が前記第２方向に並置された素子部と、開口部および遮光部が前記第１方向および前記第２方向の各々に沿って交互に配列する光分離体とを具備し、前記素子部においては、前記複数の表示素子のうち表示光の出射の方向が相違する複数の第１表示素子と複数の第２表示素子とが前記第１方向および前記第２方向の各々に沿って交互に配列する表示装置の駆動方法であって、
前記複数の走査線は、２以上の素子行の各々に属するとともに別個の信号線に対応する２以上の前記第１表示素子が各々に接続された複数の第１走査線と、２以上の素子行の各々に属するとともに別個の信号線に対応する２以上の前記第２表示素子が各々に接続された複数の第２走査線とを含み、
前記複数の表示素子の各々における印加電圧の極性が、同じ走査線に接続されて隣り合う各信号線に対応する各表示素子にて逆極性となり、かつ、前記第２方向に隣り合う前記第１表示素子と前記第２表示素子とを単位として反転するように、前記複数の表示素子の各々の印加電圧を設定する
表示装置の駆動方法。
【請求項１３】
第１方向に延在する複数の走査線と、前記第１方向に交差する第２方向に延在する複数の信号線と、前記複数の信号線の各々に接続されるとともに複数色の何れかに対応する複数の表示素子を前記第１方向に配列した複数の素子行が前記第２方向に並置された素子部と、開口部および遮光部が前記第１方向および前記第２方向の各々に沿って交互に配列する光分離体とを具備し、前記素子部においては、前記複数の表示素子のうち表示光の出射の方向が相違する複数の第１表示素子と複数の第２表示素子とが前記第１方向および前記第２方向の各々に沿って交互に配列する表示装置の駆動方法であって、
前記複数の走査線は、２以上の素子行の各々に属するとともに別個の信号線に対応する２以上の前記第１表示素子が各々に接続された複数の第１走査線と、２以上の素子行の各々に属するとともに別個の信号線に対応する２以上の前記第２表示素子が各々に接続された複数の第２走査線とを含み、
前記複数の走査線の各々に接続された複数の表示素子を各表示色に対応する所定個毎に区分した複数の素子群の各々における表示素子の印加電圧の極性が、同じ素子群内で同極性となり、かつ、同じ走査線に接続されて前記第１方向に隣り合う各素子群にて反転し、かつ、前記第２方向に隣り合う前記第１表示素子と前記第２表示素子とを単位として反転するように、前記複数の表示素子の各々の印加電圧を設定する
表示装置の駆動方法。
【請求項１４】
前記複数の第１走査線の各々と複数の第２走査線の各々とを前記第２方向に沿った順番で選択期間毎に交互に選択する一方、
前記各表示素子の印加電圧を指定するデータ電圧を前記選択期間毎に前記各信号線に出力する
請求項１２または請求項１３の表示装置の駆動方法。
【請求項１５】
前記複数の第１走査線の各々を第１期間内の各選択期間にて順次に選択するとともに前記第１期間の経過後の第２期間内の各選択期間にて前記複数の第２走査線の各々を順次に選択する一方、
前記各表示素子の印加電圧を指定するデータ電圧を前記選択期間毎に前記各信号線に出力する
請求項１２または請求項１３の表示装置の駆動方法。
【発明の詳細な説明】
【技術分野】
【０００１】
本発明は、複数の方向に別個の画像を出力する技術に関する。
【背景技術】
【０００２】
複数の方向に別個の画像（以下では便宜的に「第１画像」および「第２画像」という）を表示する技術が従来から提案されている。例えば、相互に視差を有する第１画像および第２画像を観察者の右眼の方向と左眼の方向とに出力することで観察者に立体感を知覚させる技術や、表示装置に対して別方向に居る各観察者に第１画像および第２画像を別個に視認させる技術（例えば、表示面の右前方の観察者に第１画像を視認させるとともに左前方の観察者に道案内用の第２画像を視認させるカーナビゲーション装置）が提案されている。特許文献１の表示装置においては、右眼用の第１画像を表示する画素と左眼用の第２画像を表示する画素とが縦方向および横方向の各々に沿って交互に配置される。右眼用の画素の表示光と左目用の画素の表示光とは、各画素に対応する開口部と遮光部とが縦方向および横方向に配列された光学体によって分離されたうえで別方向に出射する。
【特許文献１】特許第３０９６６１３号公報
【発明の開示】
【発明が解決しようとする課題】
【０００３】
しかし、特許文献１の構成においては、第１画像の表示素子と第２画像の表示素子とが共通の走査線に接続されて横方向に交互に配列するため、各走査線が選択される期間（水平走査期間）内において、第１画像の各画素に応じた信号と第２画像の各画素に応じた信号とを選択行の複数の画素の各々に並列に供給する必要がある。したがって、第１画像と第２画像とを合成するための処理や回路が複雑化するという問題がある。以上の事情を考慮して、本発明は、複数の画像を別方向に表示するための構成や処理を簡素化することをひとつの目的としている。
【課題を解決するための手段】
【０００４】
以上の課題を解決するために、本発明に係る表示装置は、第１方向に延在する複数の走査線と、第１方向に交差する第２方向に延在する複数の信号線と、複数の信号線の各々に対応する複数の表示素子を第１方向に配列した複数の素子行が第２方向に並置された素子部とを具備し、複数の素子行の各々は、表示光の出射の方向が相違する複数の第１表示素子および複数の第２表示素子を含み、かつ、素子部において第２方向には第１表示素子と第２表示素子とが配列し、複数の走査線は、２以上の素子行の各々に属するとともに別個の信号線に対応する２以上の第１表示素子が各々に接続された複数の第１走査線と、２以上の素子行の各々に属するとともに別個の信号線に対応する２以上の第２表示素子が各々に接続された複数の第２走査線とを含む。以上の構成においては、第１走査線には複数の表示素子のうち第１表示素子のみが接続され、第２走査線には複数の表示素子のうち第２表示素子のみが接続されるから、第１走査線の選択時に各信号線に供給される信号を共通の画像に応じて生成し、第２走査線の選択時に各信号線に供給される信号を共通の画像に応じて生成することが可能である。したがって、第１表示素子が表示する画像と第２表示素子が表示する画像とを合成するための煩雑な処理や回路が不要となる。
【０００５】
本発明の具体的な態様において、各第１表示素子と各第２表示素子とは第１方向および第２方向の各々に沿って交互に配列し、開口部と遮光部とが第１方向および第２方向の各々に沿って交互に配列する光分離体を具備し、光分離体の開口部を通過した第１表示素子の表示光と、光分離体の開口部を通過した第２表示素子の表示光とは別方向に進行する。以上の態様によれば、第１表示素子の表示光と第２表示素子の表示光とを確実かつ均等に別方向に分離することが可能である。なお、第１表示素子の表示光とは、第１表示素子から観察側への出射光と照明装置から第１表示素子への照射光との双方を含む概念である。したがって、光分離体は、素子部に対して観察側（前面側）および素子部に対して背面側（例えば素子部と照明装置との間隙）の何れに配置されてもよい。第２表示素子の表示光についても同様である。
【０００６】
本発明の第１の態様に係る表示装置は、複数の表示素子の各々における印加電圧の極性が、同じ走査線に接続されて隣り合う各信号線に対応する各表示素子にて逆極性となり、かつ、第２方向に隣り合う第１表示素子と第２表示素子とを単位として反転するように、複数の表示素子の各々の印加電圧を設定する駆動回路を具備する。以上の態様においては、印加電圧が正極性に設定された表示素子と印加電圧が負極性に設定された表示素子とが分散的に配置されて画像が表示されるから、例えば印加電圧の極性に応じて表示素子の階調が相違する場合であっても、画像の階調を均一化することが可能である。また、第２方向に隣り合う第１表示素子と第２表示素子とを単位として印加電圧の極性が反転するから、第２方向に隣り合う総ての表示素子について印加電圧が逆極性となる構成と比較して、駆動回路にて消費される電力が低減される。
【０００７】
なお、印加電圧について「逆極性」とは、例えば、表示素子毎に個別に形成された電極に供給される電位が、所定の電位（例えば複数の表示素子に共通する電極の電位）を基準として、一の表示素子では正極性の電位であり、他の表示素子では負極性の電位であることを意味する。一方、印加電圧の「同極性」とは、例えば、表示素子毎の電極に供給される電位が、一の表示素子および他の表示素子の双方において正極性および負極性の一方の電位であることを意味する。
【０００８】
本発明の好適な態様に係る表示装置は、前記複数の表示素子の各々における印加電圧の極性が、同じ走査線に接続されて隣り合う各信号線に対応する各表示素子にて逆極性となり、かつ、前記第２方向に隣り合う前記第１表示素子と前記第２表示素子とで逆極性となるように、前記複数の表示素子の各々の印加電圧を設定する駆動回路を具備する。以上の態様においては、印加電圧が正極性に設定された表示素子と印加電圧が負極性に設定された表示素子とが分散的に配置されて画像が表示されるから、画像の階調を均一化することが可能である。また、複数の第１表示素子（または複数の第２表示素子）の印加電圧が素子行を単位として逆転するから、階調を均一化という効果は格別に顕著である。さらに、第１方向に隣り合う第１表示素子と第２表示素子とで印加電圧が同極性に設定されるから、各表示素子の印加電圧が、当該表示素子の第１方向に隣り合う他の表示素子の印加電圧に影響する現象（第１方向のクロストーク）が緩和される。
【０００９】
本発明の好適な態様に係る表示装置は、前記複数の表示素子の各々における印加電圧の極性が、同じ走査線に接続されて隣り合う各信号線に対応する各表示素子にて逆極性となり、かつ、前記第２方向に隣り合う前記第１表示素子と前記第２表示素子とで同極性となるように、前記複数の表示素子の各々の印加電圧を設定する駆動回路を具備する。以上の態様においては、印加電圧が正極性に設定された表示素子と印加電圧が負極性に設定された表示素子とが分散的に配置されて画像が表示されるから、画像の階調を均一化することが可能である。また、複数の第１表示素子（または複数の第２表示素子）の印加電圧が素子行を単位として逆転するから、階調を均一化という効果は格別に顕著である。さらに、第２方向に隣り合う第１表示素子と第２表示素子とで印加電圧が同極性に設定されるから、各表示素子の印加電圧が、当該表示素子の第２方向に隣り合う他の表示素子の印加電圧に影響する現象（第２方向のクロストーク）が緩和される。
【００１０】
本発明の第２の態様に係る表示装置は、複数の表示素子の各々は複数の表示色の何れかに対応し、複数の走査線の各々に接続された複数の表示素子を各表示色に対応する所定個毎に区分した複数の素子群の各々における表示素子の印加電圧の極性が、同じ素子群内で同極性となり、かつ、同じ走査線に接続されて第１方向に隣り合う各素子群にて反転し、かつ、第２方向に隣り合う第１表示素子と第２表示素子とを単位として反転するように、複数の表示素子の各々の印加電圧を設定する駆動回路を具備する。以上の態様においては、同じ素子群内において各表示素子の印加電圧が同極性に設定されるから、各表示色の階調の関係が正確に設定される。また、各表示素子の印加電圧が正極性に設定された素子群と各表示素子の印加電圧が負極性に設定された素子群とが分散的に配置されて画像が表示されるから、画像の階調を均一化することが可能である。さらに、第２方向に隣り合う第１表示素子と第２表示素子とを単位として印加電圧の極性が反転するから、第２方向に隣り合う総ての表示素子について印加電圧が逆極性となる構成と比較して、駆動回路にて消費される電力が低減される。
【００１１】
以上の各態様に係る表示装置において、駆動回路は、例えば、複数の第１走査線の各々と複数の第２走査線の各々とを第２方向に沿った順番で選択期間毎に交互に選択する走査線駆動回路と、各表示素子の印加電圧を指定するデータ電圧を選択期間毎に各信号線に出力する信号線駆動回路とを含む。以上の態様においては、第１走査線と第２走査線とが配列の順番で順次に選択されるから、走査線駆動回路の構成が簡素化されるという利点がある。
【００１２】
また、以上の各態様に係る表示装置において、駆動回路は、例えば、複数の第１走査線の各々を第１期間内の各選択期間にて順次に選択するとともに第１期間の経過後の第２期間内の各選択期間にて複数の第２走査線の各々を順次に選択する走査線駆動回路と、各表示素子の印加電圧を指定するデータ電圧を選択期間毎に各信号線に出力する信号線駆動回路とを含む。以上の態様においては、第１期間にて複数の第１走査線が順次に選択されるとともに第２期間にて複数の第２走査線が順次に選択されるから、各表示素子の印加電圧を更新する周期や回数を第１表示素子と第２表示素子とで個別に設定できるという利点がある。
【００１３】
複数の表示素子の各々が複数の表示色の何れかに対応する構成において、駆動回路は、複数の走査線の各々を順次に選択する走査線駆動回路と、各表示素子の印加電圧を指定するデータ電圧を選択期間毎に各信号線に出力する信号線駆動回路とを含み、信号線駆動回路は、第１方向に配列する各素子群に対応する複数の分配回路を具備し、各素子群に対応する分配回路は、当該素子群における複数の表示素子の各々の印加電圧を時分割で指定する原信号を複数の系統に分配することでデータ電圧を生成する。以上の態様においては、同じ素子群内において各表示素子の印加電圧が同極性に設定されるから、分配回路による原信号の分配中に原信号が同極性に維持される。したがって、素子群内の各表示素子の印加電圧の極性が相違する構成と比較して、信号線駆動回路（分配回路）にて消費される電力が低減されるという利点がある。
本発明の他の態様に係る表示装置は、表示光の出射の方向が相違する第１表示素子と第２表示素子とが、相互に交差する第１方向および第２方向に沿って交互に配列された素子部と、第１方向に延在する第１走査線および第２走査線とを具備し、第１走査線には、奇数行目の奇数列目の第１表示素子と偶数行目の偶数列目の第１表示素子とが接続され、第２走査線には、奇数行目の偶数列目の第２表示素子と偶数行目の奇数列目の第２表示素子とが接続される。
【００１４】
本発明に係る電子機器は、以上の各態様に係る表示装置を具備する。また、本発明は、以上の各態様に係る表示装置を駆動する方法としても把握される。本発明に係る電子機器や駆動方法によれば、本発明の表示装置と同様の作用および効果が奏される。
【発明を実施するための最良の形態】
【００１５】
＜Ａ：第１実施形態＞
図１は、本発明の第１実施形態に係る表示装置の平面図である。図１に示すように、表示装置１００は、表示体１０と光分離体７０とを具備する。表示体１０は、所定の間隔をあけて相対向する２枚の基板の間隙に液晶を封止した液晶表示パネルである。光分離体７０は、表示体１０の観察側（画像の出力側）に配置された板状の部材である。なお、表示体１０の背面側（表示体１０を挟んで光分離体７０とは反対側）には表示体１０を照明する照明装置（バックライト）が実際には配置されるが、図１では便宜的に図示を省略した。
【００１６】
図２は、表示体１０の電気的な構成を示すブロック図である。図１および図２に示すように、表示体１０は、複数の表示素子Ｅ（Ｅ1，Ｅ2）を平面状に配列した素子部Ｑを具備する。複数の表示素子Ｅの各々は、相対向する各電極（画素電極と対向電極）の間隙に液晶を介在させた液晶素子であり、印加電圧に応じて階調（照明装置からの照射光の透過率）が変化する。
【００１７】
図２に示すように、素子部Ｑ内には、Ｘ方向に延在する２ｍ本の走査線１２（１２A，１２B）と、Ｘ方向に交差するＹ方向に延在するｎ本の信号線１４とが形成される（ｍおよびｎは自然数）。複数の表示素子Ｅは、走査線１２と信号線１４との各交差に対応してＸ方向およびＹ方向に行列状に配列する。すなわち、素子部Ｑ内においては、各信号線１４に対応するｎ個の表示素子ＥをＸ方向に配列した複数の集合（以下「素子行」という）ＲがＹ方向に並置される。なお、実際には、ゲートが走査線１２に接続されたトランジスタが表示素子Ｅと信号線１４との間に介在するが、図１や図２ではトランジスタの図示を便宜的に省略した。
【００１８】
表示体１０は、第１画像ＧAおよび第２画像ＧBを並列に表示する。第１画像ＧAおよび第２画像ＧBは、例えば、相互に視差を有する立体視画像である。図２に示すように、素子部Ｑ内の複数の表示素子Ｅは、第１画像ＧAの表示に利用される第１表示素子Ｅ1と、第２画像ＧBの表示に利用される第２表示素子Ｅ2とに区分される。なお、図２および以後の各図においては、第１表示素子Ｅ1と第２表示素子Ｅ2とを区別するために第１表示素子Ｅ1のみに便宜的に斜線を付した。
【００１９】
図２に示すように、第１表示素子Ｅ1と第２表示素子Ｅ2とはＸ方向およびＹ方向に沿って交互に配列する。すなわち、素子部Ｑのうち奇数行目の各素子行Ｒ（ｍ個）における奇数列目の表示素子Ｅと偶数行目の各素子行Ｒにおける偶数列目の表示素子Ｅとが第１表示素子Ｅ1であり、素子部Ｑのうち奇数行目の各素子行Ｒにおける偶数列目の表示素子Ｅと偶数行目の各素子行Ｒにおける奇数列目の表示素子Ｅとが第２表示素子Ｅ2である。
【００２０】
図１の光分離体７０は、表示体１０からの出射光を、第１表示素子Ｅ1から出射して第１画像ＧAの表示に利用される表示光と第２表示素子Ｅ2から出射して第２画像ＧBの表示に利用される表示光とに分離する板状の光学体である。本形態の光分離体７０は、図１に示すように、表示体１０の表示素子Ｅに対応する各領域に開口部７２および遮光部７４をＸ方向およびＹ方向に沿って交互に配置した板材である。
【００２１】
図３は、第１表示素子Ｅ1および第２表示素子Ｅ2と光分離体７０との関係を示す断面図である。図３に示すように、第１表示素子Ｅ1による表示光（出射光）は光分離体７０の開口部７２を通過して範囲ｖ1内に放射され、第２表示素子Ｅ2による表示光は光分離体７０の開口部７２を通過して範囲ｖ2内に放射される。したがって、範囲Ｖ1内では第１表示素子Ｅ1による表示光のみが視認され、範囲Ｖ2内では第２表示素子Ｅ2による表示光のみが視認される。例えば、第１表示素子Ｅ1から範囲Ｖ1内に放射された表示光は観察者の左目に到達し、第２表示素子Ｅ2から範囲Ｖ2内に放射された表示光は観察者の右目に到達する。
【００２２】
図３に示すように、第１表示素子Ｅ1と第２表示素子Ｅ2とは交互に配列する。光分離体７０の開口部７２は、第１表示素子Ｅ1と第２表示素子Ｅ2とが所定の方向にこの順番で配列する位置において第１表示素子Ｅ1と第２表示素子Ｅ2との境界に重なるように配置される。一方、光分離体７０の遮光部７４は、第２表示素子Ｅ2と第１表示素子Ｅ1とが当該方向にこの順番で配列する位置において第２表示素子Ｅ2と第１表示素子Ｅ1との境界に重なるように配置される。Ｘ方向の断面およびＹ方向の断面の何れにおいても図３の関係が成立する。
【００２３】
図２に示すように、２ｍ本の走査線１２はｍ本の第１走査線１２Aとｍ本の第２走査線１２Bとに区分される。各第１走査線１２Aと各第２走査線１２BとはＹ方向に沿って交互に配置される（すなわち、相隣接する各第１走査線１２Aの間隙に第２走査線１２Bが位置する）。第１走査線１２Aには、Ｙ方向に隣接する２個の素子行Ｒに属するとともに別個の信号線１４に接続された（すなわちＸ方向の位置が相違する）ｎ個の第１表示素子Ｅ1が接続される。換言すると、第１走査線１２Aには、奇数行目の素子行Ｒにおける奇数列目の第１表示素子Ｅ1と偶数行目の素子行Ｒにおける偶数列目の第１表示素子Ｅ1とが共通に接続される。また、第２走査線１２Bには、Ｙ方向に隣接する２個の素子行Ｒに属するとともに別個の信号線１４に接続されたｎ個の第２表示素子Ｅ2が接続される。すなわち、奇数行目の素子行Ｒにおける偶数列目の第２表示素子Ｅ2と偶数行目の素子行Ｒにおける奇数列目の第２表示素子Ｅ2とが第２走査線１２Bに対して共通に接続される。以上のように第１走査線１２Aには複数の第１表示素子Ｅ1のみが接続され、第２走査線１２Bには複数の第２表示素子Ｅ2のみが接続される。
【００２４】
図４は、表示装置１００の動作を説明するためのタイミングチャートである。図２の走査線駆動回路３２は、図４に示すように、各走査線１２に出力する走査信号Ｙ（ＹA[1]〜ＹA[m]，ＹB[1]〜ＹB[m]）を所定の順番にてアクティブレベルに設定することで各単位期間（垂直走査期間）Ｆ内の選択期間（水平走査期間）Ｈ毎に２ｍ本の走査線１２の各々を順次に選択する。走査信号ＹA[1]〜ＹA[m]は各第１走査線１２Aに出力され、走査信号ＹB[1]〜ＹB[m]は各第２走査線１２Bに出力される。さらに詳述すると、走査線駆動回路３２は、Ｙ方向に沿った配列の順番で２ｍ本の走査線１２の各々を順次に選択する。第１走査線１２Aと第２走査線１２BとはＹ方向に沿って交互に配置されるから、走査線駆動回路３２は、図４に示すように、第１走査線１２Aと第２走査線１２Bとを選択期間Ｈ毎に交互に選択する。
【００２５】
図２の制御回路４０は、走査線駆動回路３２および信号線駆動回路３４を制御する。例えば、制御回路４０は、同期信号や制御信号を走査線駆動回路３２および信号線駆動回路３４に出力するほか、階調データＤとデータ選択信号ＳELとを信号線駆動回路３４に出力する。階調データＤは、第１画像ＧAおよび第２画像ＧBの各々における各画素の階調を指定する。データ選択信号ＳELは、図４に示すように、第１走査線１２Aが選択される選択期間Ｈ（走査信号ＹA[1]〜ＹA[m]の何れかがアクティブレベルとなる選択期間Ｈ）にてハイレベルに設定されるとともに第２走査線１２Bが選択される選択期間Ｈ（走査信号ＹB[1]〜ＹB[m]の何れかがアクティブレベルとなる選択期間Ｈ）にてローレベルに設定される。
【００２６】
図２の信号線駆動回路３４は、各表示素子Ｅの印加電圧を指定するデータ電圧Ｘ[1]〜Ｘ[n]を選択期間Ｈ毎にｎ本の信号線１４に対して並列に出力する。第ｉ行目（ｉ＝１〜２ｍ）の走査線１２が選択される選択期間Ｈにおいて第ｊ列目（ｊ＝１〜ｎ）の信号線１４に出力されるデータ電圧Ｘ[j]は、第ｉ行に属する第ｊ列目の表示素子Ｅに指定された階調に応じた電圧値に設定される。
【００２７】
図４には、第ｊ列目の信号線１４に供給されるデータ電圧Ｘ[j]と第(j+1)列目の信号線１４に供給されるデータ電圧Ｘ[j+1]とが模式的に図示されている。また、図５は素子部Ｑに表示される画像の内容を示す模式図である。図５の部分(A)には第ｆ番目の単位期間Ｆでの表示が図示され、図５の部分(B)には第(f+1)番目の単位期間Ｆでの表示が図示されている。図４に示すように、信号線駆動回路３４は、データ選択信号ＳELがハイレベルとなる選択期間Ｈ（第１走査線１２Aの選択中）においては第１画像ＧAの階調データＤに応じたデータ電圧Ｘ[1]〜Ｘ[n]を生成して各信号線１４に出力し、データ選択信号ＳELがローレベルとなる選択期間Ｈ（第２走査線１２Bの選択中）においては第２画像ＧBの階調データＤに応じたデータ電圧Ｘ[1]〜Ｘ[n]を生成して各信号線１４に出力する。
【００２８】
第１走査線１２Aには複数の第１表示素子Ｅ1のみが接続されるから、第１走査線１２Aが選択される選択期間Ｈでは、当該第１走査線１２Aに接続されたｎ個の第１表示素子Ｅ1の印加電圧がデータ電圧Ｘ[1]〜Ｘ[n]に応じて（第１画像ＧAの階調データＤに応じて）設定される。同様に、第２走査線１２Bが選択される選択期間Ｈでは、当該第２走査線１２Bに接続されたｎ個の第２表示素子Ｅ2の印加電圧がデータ電圧Ｘ[1]〜Ｘ[n]に応じて（第２画像ＧBの階調データＤに応じて）設定される。したがって、図５に示すように、第１表示素子Ｅ1には第１画像ＧAが表示されるとともに第２表示素子Ｅ2には第２画像ＧBが表示される。
【００２９】
以上に説明したように、本形態においては、第１走査線１２Aに第１表示素子Ｅ1のみが接続されるとともに第２走査線１２Bに第２表示素子Ｅ2のみが接続されるから、選択期間Ｈにて各信号線１４に出力されるデータ電圧Ｘ[1]〜Ｘ[n]は共通の画像（ＧA，ＧB）の階調データＤから生成される。したがって、第１画像ＧAの階調データＤと第２画像ＧBの階調データＤとを選択期間Ｈ毎に合成するといった複雑な処理や構成が不要であるという利点がある。
【００３０】
以上の動作に加えて、信号線駆動回路３４は、各表示素子Ｅの印加電圧が所定の周期で正極性および負極性の一方から他方に変化するように、所定の基準電圧（例えば対向電極の電圧）に対するデータ電圧Ｘ[1]〜Ｘ[n]の極性を選定する。さらに詳述すると、信号線駆動回路３４は、各表示素子Ｅの印加電圧の極性が以下の条件を満たすようにデータ電圧Ｘ[1]〜Ｘ[n]を制御する。図４にはデータ電圧Ｘ[j]およびデータ電圧Ｘ[j+1]の各々の極性（＋，−）が付記されている。同様に、図５における符号「＋」は表示素子Ｅの印加電圧が正極性であることを意味し、符号「−」は表示素子Ｅの印加電圧が負極性であることを意味する。
【００３１】
信号線駆動回路３４は、図４に示すように、Ｘ方向に隣接する各信号線１４に対して各選択期間Ｈにて出力するデータ電圧Ｘ（Ｘ[j]，Ｘ[j+1]）を逆極性に設定する。したがって、図５に示すように、同じ第１走査線１２Aに接続されたｎ個の第１表示素子Ｅ1のうち奇数行目の各第１表示素子Ｅ1と偶数行目の各第１表示素子Ｅ1とでは印加電圧が逆極性となる。同様に、同じ第２走査線１２Bに接続されたｎ個の第２表示素子Ｅ2のうち奇数行目の各第２表示素子Ｅ2と偶数行目の各第２表示素子Ｅ2とでは印加電圧が逆極性となる。
【００３２】
また、信号線駆動回路３４は、図４に示すように、相前後する２個の選択期間Ｈ（第１走査線１２Aが選択される選択期間Ｈと第２走査線１２Bが選択される選択期間Ｈ）を単位としてデータ電圧Ｘの極性を反転する。例えば、走査信号ＹA[1]および走査信号ＹB[1]の各々がハイレベルとなる２個の選択期間Ｈにてデータ電圧Ｘ[j]は正極性に設定され、走査信号ＹA[2]および走査信号ＹB[2]の各々がハイレベルとなる２個の選択期間Ｈにてデータ電圧Ｘ[j]は負極性に反転する。したがって、図５に示すように、同じ信号線１４に接続された２ｍ個の表示素子Ｅに着目すると、Ｙ方向に隣接する第１表示素子Ｅ1と第２表示素子Ｅ2とを単位として印加電圧の極性が反転する。
【００３３】
さらに、信号線駆動回路３４は、図４に示すように、ひとつの表示素子Ｅに供給されるデータ電圧Ｘの極性を単位期間Ｆ毎に反転させる。したがって、図５の部分(A)に示す第ｆ番目の単位期間Ｆと図５の部分(B)に示す第(f+1)番目の単位期間Ｆとでは各表示素子Ｅの印加電圧の極性が逆転する。
【００３４】
次に、図６は、第ｆ番目の単位期間Ｆにて第１表示方向に出力される画像（部分(A)）と第２表示方向に出力される画像（部分(B)）とを示す模式図である。第１表示方向と第２表示方向とは表示装置１００に対して相異なる方向である。例えば、第１画像ＧAおよび第２画像ＧBが相互に視差を有する立体視画像である場合、第１表示方向は観察者の左眼の方向に相当し、第２表示方向は観察者の右眼の方向に相当する。図６の部分(A)に示すように、第１表示素子Ｅ1からの表示光が第１表示方向に出射することで第１画像ＧAが第１表示方向に出力され、図６の部分(B)に示すように、第２表示素子Ｅ2からの表示光が第２表示方向に出射することで第２画像ＧBが第２表示方向に出力される。第(f+1)番目の単位期間Ｆにおいても同様である。
【００３５】
階調データＤによって同じ階調が指定された場合であっても、実際の表示素子Ｅの階調は印加電圧の極性に応じて相違する場合がある。したがって、単位期間Ｆにて総ての第１表示素子Ｅ1（または総ての第２表示素子Ｅ2）の印加電圧が同極性であるとすれば、複数の単位期間Ｆにわたって同じ階調が指定された場合であっても、単位期間Ｆ毎に第１表示素子Ｅ1の階調が変動する（ひいてはフリッカが顕在化する）という問題がある。本形態においては、印加電圧が正極性である第１表示素子Ｅ1と印加電圧が負極性である第１表示素子Ｅ1とがひとつの単位期間Ｆ内において混在するから、印加電圧の極性に応じた階調の相違が素子部Ｑ内において平均化されて観察者に知覚され難くなるという利点がある。
【００３６】
＜Ｂ：第２実施形態＞
次に、本発明の第２実施形態について説明する。なお、以下の各形態において作用や機能が第１実施形態と同様である要素については、以上と同じ符号を付して各々の詳細な説明を適宜に省略する。
【００３７】
図７は、表示装置１００の動作を示すタイミングチャートである。図７に示すように、複数の単位期間Ｆの各々は、当該単位期間Ｆの始点から所定の時間長にわたる第１期間Ｔ1と、第１期間Ｔ1の経過後から当該単位期間Ｆの終点までの第２期間Ｔ2とに区分（２等分）される。図７に例示した走査信号ＹA[1]〜ＹA[m]および走査信号ＹB[1]〜ＹB[m]の波形から理解されるように、走査線駆動回路３２は、第１期間Ｔ1にてｍ本の第１走査線１２Aの各々を順次に選択し、第２期間Ｔ2にてｍ本の第２走査線１２Bの各々を順次に選択する。
【００３８】
データ選択信号ＳELは、第１期間Ｔ1にてハイレベルを維持するとともに第２期間Ｔ2にてローレベルを維持する。したがって、信号線駆動回路３４は、第１期間Ｔ1内の各選択期間Ｈにおいて第１画像ＧAの階調データＤに応じたデータ電圧Ｘ[1]〜Ｘ[n]を生成して各信号線１４に出力し、第２期間Ｔ2内の各選択期間Ｈにおいて第２画像ＧBの階調データＤに応じたデータ電圧Ｘ[1]〜Ｘ[n]を生成して各信号線１４に出力する。
【００３９】
また、第１期間Ｔ1内において、信号線駆動回路３４は、第１実施形態と同様に、Ｘ方向に隣接する各信号線１４に出力するデータ電圧Ｘ（Ｘ[j]，Ｘ[j+1]）を逆極性に設定する。さらに、信号線駆動回路３４は、第１期間Ｔ1内の選択期間Ｈ毎にデータ電圧Ｘの極性を反転する。同様に、第２期間Ｔ2内においては、Ｘ方向に隣接する各信号線１４に出力するデータ電圧Ｘ（Ｘ[j]，Ｘ[j+1]）が逆極性に設定されるとともに選択期間Ｈ毎にデータ電圧Ｘの極性が反転される。
【００４０】
走査線駆動回路３２および信号線駆動回路３４は以上のように動作するから、単位期間Ｆの全体に着目すると、第１表示素子Ｅ1および第２表示素子Ｅ2の各々は、図５に図示した極性の電圧が印加されることで図５と同様の画像（ＧA，ＧB）を表示する。したがって、第１実施形態と同様の作用および効果が奏される。
【００４１】
＜Ｃ：第３実施形態＞
図８は、素子部Ｑに表示される画像の内容を示す模式図である。走査線駆動回路３２は、第１実施形態と同様に、第１走査線１２Aと第２走査線１２Bとを単位期間Ｆ内で交互に選択する。図８に示すように、信号線駆動回路３４は、Ｙ方向に隣接する第１表示素子Ｅ1と第２表示素子Ｅ2とで印加電圧が逆極性となるように各単位期間Ｆにおけるデータ電圧Ｘの極性を選定する。Ｘ方向に隣接する各信号線１４に出力されるデータ電圧Ｘ（Ｘ[j]，Ｘ[j+1]）が逆極性に設定される点や、各表示素子Ｅの印加電圧が単位期間Ｆ毎に反転する点は第１実施形態と同様である。
【００４２】
図９は、第ｆ番目の単位期間Ｆにて第１表示方向に出力される画像（部分(A)）と第２表示方向に出力される画像（部分(B)）とを示す模式図である。図９に示すように、印加電圧が正極性である第１表示素子Ｅ1と印加電圧が負極性である第１表示素子Ｅ1とが第１表示方向に第１画像ＧAを表示し、印加電圧が正極性である第２表示素子Ｅ2と印加電圧が負極性である第２表示素子Ｅ2とが第２表示方向に第２画像ＧBを表示する。したがって、第１実施形態と同様に、印加電圧の極性に起因した階調の相違が素子部Ｑ内で平均化されるという効果がある。特に本形態においては、図９に示すように、第１画像ＧAを表示する第１表示素子Ｅ1の印加電圧が行単位で逆転するから、第１表示素子Ｅ1の印加電圧が２行単位で逆転する第１実施形態（図５）と比較して、各第１表示素子Ｅ1の階調の相違が平均化される効果は格別に顕著である。第２表示素子Ｅ2についても同様である。
【００４３】
また、図８に示したように、素子行Ｒ内の各表示素子Ｅの印加電圧は同極性に設定されるから、Ｘ方向に隣接する第１表示素子Ｅ1と第２表示素子Ｅ2とにおいてデータ電圧Ｘの相違が低減される。したがって、各表示素子Ｅに供給されるデータ電圧Ｘが、当該表示素子ＥのＸ方向に隣接する他の表示素子Ｅの階調に影響する現象（すなわち、Ｘ方向のクロストーク）が緩和されるという利点がある。
【００４４】
＜Ｄ：第４実施形態＞
図１０は、素子部Ｑに表示される画像の内容を示す模式図である。走査線駆動回路３２は、第１実施形態と同様に、第１走査線１２Aと第２走査線１２Bとを単位期間Ｆ内で交互に選択する。図１０に示すように、信号線駆動回路３４は、Ｙ方向に隣接する第１表示素子Ｅ1と第２表示素子Ｅ2とで印加電圧が同極性となるように各単位期間Ｆにおけるデータ電圧Ｘの極性を選定する。Ｘ方向に隣接する各信号線１４に出力されるデータ電圧Ｘ（Ｘ[j]，Ｘ[j+1]）が逆極性に設定される点や、各表示素子Ｅの印加電圧が単位期間Ｆ毎に反転する点は第１実施形態と同様である。
【００４５】
図１１は、第ｆ番目の単位期間Ｆにて第１表示方向に出力される画像（部分(A)）と第２表示方向に出力される画像（部分(B)）とを示す模式図である。図１１に示すように、第１画像ＧAを表示する第１表示素子Ｅ1の印加電圧が行単位で逆転し、かつ、第２画像ＧBを表示する第２表示素子Ｅ2の印加電圧が行単位で逆転するから、第３実施形態と同様の効果が実現される。
【００４６】
また、Ｙ方向に隣接する各表示素子Ｅの印加電圧が同極性に設定されるから、Ｙ方向に隣接する第１表示素子Ｅ1と第２表示素子Ｅ2とでデータ電圧Ｘの相違が低減される。したがって、各表示素子Ｅに供給されるデータ電圧Ｘが、当該表示素子ＥのＹ方向に隣接する他の表示素子Ｅの階調に影響する現象（すなわち、Ｙ方向のクロストーク）を緩和することが可能である。さらに、１本の信号線１４に出力されるデータ電圧Ｘが単位期間Ｆ内で同極性に維持されるから、データ電圧Ｘの極性が単位期間Ｆ内で反転する構成と比較して、信号線駆動回路３４にて消費される電力が低減されるという利点もある。
【００４７】
なお、第３実施形態および第４実施形態においては第１走査線１２Aと第２走査線１２Bとが単位期間Ｆ内で交互に選択される場合を例示したが、第１期間Ｔ1にて各第１走査線１２Aを順次に選択するとともに第２期間Ｔ2にて各第２走査線１２Bを順次に選択する第２実施形態のもとで、各表示素子Ｅの印加電圧の極性を第３実施形態（図８）や第４実施形態（図１０）と同様に設定してもよい。
【００４８】
＜Ｅ：第５実施形態＞
図１２は、本発明の第５実施形態に係る表示装置１００の電気的な構成を示すブロック図である。図１２に示すように、素子部Ｑ内の各表示素子Ｅは複数の表示色（赤色（Ｒ），緑色（Ｇ），青色（Ｂ））の何れかに対応する。すなわち、赤色に対応する表示素子Ｅは赤色に対応した波長の色光を観察側に出射し、緑色の表示素子Ｅは緑色の色光を出射し、青色の表示素子Ｅは青色の色光を出射する。第(3k-2)列目の各表示素子Ｅは赤色に対応し、第(3k-1)列目の各表示素子Ｅは緑色に対応し、第3k列目の各表示素子Ｅは青色に対応する（ｋは自然数）。したがって、Ｙ方向に配列する２ｍ個の表示素子Ｅは同色に対応する（ストライプ配列）。もっとも、各表示色の配列の態様は任意に変更される。
【００４９】
第１実施形態や第２実施形態と同様に、２ｍ本の走査線１２のうちｍ本の第１走査線１２Aの各々には２個の素子行Ｒに属するｎ個の第１表示素子Ｅ1が接続され、ｍ本の第２走査線１２Bの各々には２個の素子行Ｒに属するｎ個の第２表示素子Ｅ2が接続される。図１２に示すように、共通の走査線１２に接続されたｎ個の表示素子Ｅは、相隣接する３本の信号線１４に接続された３個の表示素子Ｅ（すなわち赤色と緑色と青色とに対応する３個の表示素子Ｅ）を単位として素子群Ｐに区分される。各素子群Ｐにおける３個の表示素子Ｅの各々の階調を制御することで素子部Ｑには複数色の画像が表示される。
【００５０】
信号線駆動回路３４は、相隣接する３本の信号線１４毎（すなわちＸ方向に配列する素子群Ｐ毎）に配置された複数（ｎ/３個）の分配回路３５を具備する。図１３に示すように、分配回路３５（デマルチプレクサ）は、入力点Ｎと３個のスイッチＳＷ（ＳＷR，ＳＷG，ＳＷB）とを含む。入力点Ｎには原信号Ｓ0が供給される。原信号Ｓ0は、ひとつの素子群Ｐに属する３個の表示素子Ｅの階調（印加電圧）を時分割で指定する１系統の電圧信号である。分配回路３５は、３個のスイッチＳＷ（ＳＷR，ＳＷG，ＳＷB）の各々を順番に導通させることで原信号Ｓ0を３系統に分配する。信号線駆動回路３４は、分配回路３５が分配した３系統の信号の各々に基づいてひとつの素子群Ｐに対応する３系統のデータ電圧Ｘを生成して各信号線１４に出力する。
【００５１】
次に、図１４は、表示装置１００の動作を示すタイミングチャートである。また、図１５の部分(A)および部分(B)は、第ｆ番目および第(f+1)番目の各単位期間Ｆにおける各表示素子Ｅの表示の内容を印加電圧の極性とともに示す模式図である。図１４に示すように、走査線駆動回路３２が２ｍ本の走査線１２を順番に（第１走査線１２Aと第２走査線１２Bとを交互に）選択する動作は第１実施形態と同様である。
【００５２】
一方、信号線駆動回路３４は、第ｉ行目の走査線１２が選択される選択期間Ｈにおいて、当該走査線１２に接続されたｎ個の表示素子Ｅの階調（印加電圧）を指定するｎ系統のデータ電圧Ｘ[1]〜Ｘ[n]を各分配回路３５の動作に応じて生成して各信号線１４に出力する。図１４の記号「ＧA_R」は、データ電圧Ｘの電圧値が、第１画像ＧAの赤色（Ｒ）の画素の階調に対応した電圧値に設定されることを意味する。同様に、「ＧA_G」は緑色の画素の階調に対応した電圧値を意味し、「ＧA_B」は青色の画素の階調に対応した電圧値を意味する。本形態においては、表示素子Ｅの印加電圧の極性が以下の条件を満たすようにデータ電圧Ｘ[1]〜Ｘ[n]の極性が設定される。なお、図１５の部分(A)および部分(B)に示すように各表示素子Ｅの印加電圧の極性が単位期間Ｆ毎に反転する点は第１実施形態と同様である。
【００５３】
図１４に示すように、信号線駆動回路３４は、ひとつの素子群Ｐに対応する３本の信号線１４の各々に出力するデータ電圧Ｘを同極性に設定する。例えば、ひとつの素子群Ｐに対応する第ｊ列目から第(j+2)列目までの３本の信号線１４に供給されるデータ電圧Ｘ[j]〜Ｘ[j+2]は同極性である。したがって、図１５に示すように、同じ素子群Ｐに属する３個（赤色，緑色，青色）の表示素子Ｅの各々の印加電圧は同極性となる。
【００５４】
また、図１４に示すように、信号線駆動回路３４は、ひとつの素子群Ｐに対応する３本の信号線１４を単位としてデータ電圧Ｘの極性を反転させる。例えば、図１４に示すように、ひとつの素子群Ｐに対応する第ｊ列目から第(j+2)列目までの３本の信号線１４に供給されるデータ電圧Ｘ[j]〜Ｘ[j+2]と、当該素子群Ｐに隣接する他の素子群Ｐに対応する第(j+3)列目から第（j+5）列目までの３本の信号線１４に供給されるデータ電圧Ｘ[j+3]〜Ｘ[j+5]とは逆極性である。したがって、同じ走査線１２に接続された複数の素子群ＰのうちＸ方向に相隣接する２個の素子群Ｐにおいて各表示素子Ｅの印加電圧は逆極性となる。
【００５５】
さらに、信号線駆動回路３４は、第１実施形態と同様に、相前後する２個の選択期間Ｈ（第１走査線１２Aが選択される選択期間Ｈと第２走査線１２Bが選択される選択期間Ｈ）を単位としてデータ電圧Ｘの極性を反転する。例えば、図１４に示すように、走査信号ＹA[1]および走査信号ＹB[1]の各々がハイレベルとなる２個の選択期間Ｈにてデータ電圧Ｘ[j]は正極性に設定され、走査信号ＹA[2]および走査信号ＹB[2]の各々がハイレベルとなる２個の選択期間Ｈにてデータ電圧Ｘ[j]は負極性に設定される。したがって、図１５に示すように、同じ信号線１４に接続された２ｍ個の表示素子Ｅに着目すると、Ｙ方向に隣接する第１表示素子Ｅ1と第２表示素子Ｅ2とを単位として印加電圧の極性が反転する。
【００５６】
図１６は、第ｆ番目の単位期間Ｆにて第１表示方向に出力される画像（部分(A)）と第２表示方向に出力される画像（部分(B)）とを示す模式図である。図１６の部分(A)に示すように、印加電圧が正極性の第１表示素子Ｅ1と印加電圧が負極性の第１表示素子Ｅ1とを分散的に混在させることで第１画像ＧAが表示される。同様に、印加電圧が正極性の第２表示素子Ｅ2と印加電圧が負極性の第２表示素子Ｅ2とを混在させることで第２画像ＧBが表示される。したがって、印加電圧の極性に応じた表示素子Ｅの階調の相違が素子部Ｑ内において平均化されて観察者に知覚され難くなるという利点がある。
【００５７】
さらに、ひとつの素子群Ｐに属する３個の表示素子Ｅの印加電圧は同極性に設定されるから、各表示素子Ｅの印加電圧の極性が素子群Ｐ内で相違する場合と比較して、素子群Ｐにおける各表示素子Ｅの階調の関係（バランス）が正確に設定される。したがって、画像の色再現性を高めることが可能である。また、ひとつの素子群Ｐに属する３個の表示素子Ｅの印加電圧が同極性であるから、各分配回路３５が原信号Ｓ0を３系統に分配する期間内において入力点Ｎの電圧は同極性に維持される。したがって、各表示素子Ｅの印加電圧の極性が素子群Ｐ内で相違する場合（すなわち原信号Ｓ0を分配する期間内において原信号Ｓ0の極性が変動する場合）と比較して入力点Ｎの電圧の変動が抑制される（さらには信号線駆動回路３４における電力の消費が低減される）という利点がある。
【００５８】
また、Ｙ方向に隣接する第１表示素子Ｅ1と第２表示素子Ｅ2とで印加電圧は同極性に設定される。したがって、Ｙ方向に相隣接する総ての表示素子Ｅで印加電圧の極性を反転させる構成と比較して、データ電圧Ｘの極性を反転させる回数やデータ電圧Ｘの電圧値の変動量が抑制される。したがって、信号線駆動回路３４にて消費される電力が低減されるという利点がある。第１画像ＧAおよび第２画像ＧBの一方が黒色の画像であって他方が白色の画像であるような場合には第１表示素子Ｅ1と第２表示素子Ｅ2とで印加電圧の相違が増大するから、データ電圧Ｘの極性の反転の回数や電圧値の変動量が抑制される本形態が格別に有効である。
【００５９】
＜Ｆ：第６実施形態＞
図１７は、本発明の第６実施形態に係る表示装置１００の動作を示すタイミングチャートである。第２実施形態と同様に、走査線駆動回路３２は、複数の単位期間Ｆの各々における第１期間Ｔ1にてｍ本の第１走査線１２Aの各々を選択期間Ｈ毎に順次に選択し、第２期間Ｔ2にてｍ本の第２走査線１２Bの各々を選択期間Ｈ毎に順次に選択する。素子部Ｑの各表示素子Ｅが表示色に応じて素子群Ｐに区分される構成は第５実施形態と同様である。
【００６０】
第１期間Ｔ1内および第２期間Ｔ2の各々において、信号線駆動回路３４は、第５実施形態と同様に、ひとつの素子群Ｐに対応してＸ方向に隣接する３本の信号線１４を単位としてデータ電圧Ｘの極性を反転させる。さらに、信号線駆動回路３４は、第１期間Ｔ1内の選択期間Ｈ毎にデータ電圧Ｘの極性を反転するとともに、第２期間Ｔ2内の選択期間Ｈ毎にデータ電圧Ｘの極性を反転する。
【００６１】
走査線駆動回路３２および信号線駆動回路３４は以上のように動作するから、単位期間Ｆの全体に着目すると、第１表示素子Ｅ1および第２表示素子Ｅ2の各々は、図１５に図示した極性の電圧が印加されることで図１５と同様の画像（ＧA，ＧB）を表示する。したがって、第５実施形態と同様の効果が奏される。
【００６２】
＜Ｇ：変形例＞
以上の各形態には様々に変形される。具体的な変形の態様を以下に例示する。なお、以下の例示から２以上の態様を任意に選択して組合わせてもよい。
【００６３】
（１）変形例１  
第１画像ＧAおよび第２画像ＧBの内容は立体視画像に限定されない。表示装置１００に対して別方向に居る複数の観察者の各々に別個の画像を提供する場合にも以上の各形態に係る表示装置１００が好適に採用される。例えば、表示装置１００をカーナビゲーションシステムに利用した場合には、助手席の観察者に提供される各種の動画像が第１画像ＧAとして第１表示素子Ｅ1に表示され、運転手に提供される道案内の画像が第２画像ＧBとして第２表示素子Ｅ2に表示される。
【００６４】
（２）変形例２  
第２実施形態や第６実施形態においては単位期間Ｆ内をひとつの第１期間Ｔ1とひとつの第２期間Ｔ2とで構成したが、単位期間Ｆ内の第１期間Ｔ1と第２期間Ｔ2との個数比は任意に変更される。例えば、各単位期間Ｆ内に複数の第１期間Ｔ1とひとつの第２期間Ｔ2とを設定した構成によれば、第１期間Ｔ1にて第１表示素子Ｅ1に表示される第１画像ＧAが第２画像ＧAと比較して短い周期で更新される。したがって、例えば、画像の変化が多い動画像を第１画像ＧAに選定するとともに静止画や画像の変化が少ない動画像を第２画像ＧBに選定することで、被写体が滑らかに変化するように第１画像ＧAが表示され、かつ、第２画像ＧBを第１画像ＧAと同じ周期で更新する構成と比較して走査線駆動回路３２や信号線駆動回路３４に要求される動作の速度が低減されるという利点がある。
【００６５】
また、第２実施形態や第６実施形態のように各第１走査線１２Aを選択する第１期間Ｔ1と各第２走査線１２Bを選択する第２期間Ｔ2とが個別に設定された構成においては、走査線駆動回路３２が選択する走査線１２の本数を第１期間Ｔ1と第２期間Ｔ2とで相違させる構成も好適である。例えば、第１期間Ｔ1にてｍ本の第１走査線１２Aのうち第１行目から第ｍ/２行目までの各第１走査線１２Aのみを選択し、第２期間Ｔ2にてｍ本の第２走査線１２Bの各々を選択する構成においては、素子部Ｑの上半分のみに表示された第１画像ＧAと素子部Ｑの全体に表示された第２画像ＧBとを別方向に出力することが可能である。
【００６６】
（３）変形例３  
第１表示素子Ｅ1の表示光と第２表示素子Ｅ2の表示光とを別方向に分離するための構成は任意である。例えば、レンチキュラレンズなどの光学体を利用して表示光を分離してもよい。また、以上の各形態における光分離体７０を表示体１０と背面側の照明装置との間隙に配置した構成も好適である。照明装置からの出射光のうち光分離体７０の開口部７２を通過して第１表示方向に進行する光が第１表示素子Ｅ1を透過し、光分離体７０の開口部７２を通過して第２表示方向に進行する光が第２表示素子Ｅ2を透過する。
【００６７】
（４）変形例４  
以上の各形態においてはひとつの走査線駆動回路３２がｍ本の第１走査線１２Aとｍ本の第２走査線１２Bとを選択したが、各第１走査線１２Aを選択する走査線駆動回路３２と各第２走査線１２Bを選択する走査線駆動回路３２とが別個に配置された構成も好適である。
【００６８】
（５）変形例５  
以上の各形態においては、最上段の素子行Ｒがｎ/２個の第１表示素子Ｅ1のみで構成されるとともに最下段の素子行Ｒがｎ/２個の第２表示素子Ｅ2のみで構成される場合を例示したが、図１８に示すように、最上段や最下段の素子行Ｒについても他の素子行Ｒと同様に第１表示素子Ｅ1と第２表示素子Ｅ2とを交互に配列させてもよい。
【００６９】
（６）変形例６  
以上の各形態においては、信号線駆動回路３４が、第１画像ＧAおよび第２画像ＧBの双方の総ての画素の階調データＤを制御回路４０から取得するとともにデータ選択信号ＳELに応じて選択的に使用してデータ電圧Ｘ[1]〜Ｘ[n]を生成したが、第１画像ＧAのうち各第１表示素子Ｅ1に対応する各画素と第２画像ＧBのうち第２表示素子Ｅ2に対応する各画素とに対応する階調データＤのみが制御回路４０から信号線駆動回路３４に供給される構成も好適である。
【００７０】
（７）変形例７  
液晶素子は表示素子の例示に過ぎない。第１走査線１２Aに複数の第１表示素子Ｅ1のみが接続されるとともに第２走査線１２Bに複数の第２表示素子Ｅ2のみが接続される構成に採用される表示素子について、自身が発光する自発光型と外光の透過率を変化させる非発光型との区別や、電流の供給によって駆動される電流駆動型と電界（電圧）の印加によって駆動される電圧駆動型との区別は不問である。例えば、有機ＥＬ（Electroluminescence）素子，無機ＥＬ素子，電界電子放出素子（ＦＥ（Field-Emission）素子），表面伝導型電子放出素子（ＳＥ（Surface conduction Electron emitter）素子），弾道電子放出素子（ＢＳ（Ballistic electron Emitting）素子），ＬＥＤ（Light Emitting Diode）素子，電気泳動素子、エレクトロクロミック素子など様々な表示素子を利用した表示装置に本発明は適用される。すなわち、表示素子とは、電流の供給や電圧（電界）の印加といった電気的な作用に応じて階調（透過率や輝度といった光学的な特性）が変化する電気光学素子（画素）である。もっとも、以上の各形態に例示したように表示素子の印加電圧の極性を経時的に反転させる構成は、直流成分の継続的な印加が特性の劣化などの不具合の原因となる表示素子（典型的には液晶素子）に特に好適である。
【００７１】
＜Ｈ：応用例＞
次に、本発明に係る表示装置１００を利用した電子機器について説明する。図１９ないし図２１には、以上に説明した何れかの形態に係る表示装置１００を利用した電子機器の形態が図示されている。
【００７２】
図１９は、表示装置１００を利用したモバイル型のパーソナルコンピュータの構成を示す斜視図である。パーソナルコンピュータ２０００は、各種の画像を表示する表示装置１００と、電源スイッチ２００１やキーボード２００２が設置された本体部２０１０とを具備する。
【００７３】
図２０は、表示装置１００を適用した携帯電話機の構成を示す斜視図である。携帯電話機３０００は、複数の操作ボタン３００１およびスクロールボタン３００２と、各種の画像を表示する表示装置１００とを備える。スクロールボタン３００２を操作することによって、表示装置１００に表示される画面がスクロールされる。
【００７４】
図２１は、表示装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する表示装置１００とを備える。電源スイッチ４００２を操作すると、住所録やスケジュール帳といった様々な情報が表示装置１００に表示される。
【００７５】
なお、本発明に係る電気光学装置が適用される電子機器としては、図１９から図２１に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００７６】
【図１】本発明の第１実施形態に係る表示装置の模式図である。
【図２】表示装置の電気的な構成を示すブロック図である。
【図３】光分離体の作用を説明するための概念図である。
【図４】表示装置の動作を示すタイミングチャートである。
【図５】各単位期間における素子部の表示の内容を示す模式図である。
【図６】観察者が左眼で視認する画像と右眼で視認する画像との模式図である。
【図７】第２実施形態に係る表示装置の動作を示すタイミングチャートである。
【図８】第３実施形態における表示の内容を示す模式図である。
【図９】第３実施形態において観察者が左眼で視認する画像と右眼で視認する画像とを示す模式図である。
【図１０】第４実施形態における表示の内容を示す模式図である。
【図１１】第４実施形態において観察者が左眼で視認する画像と右眼で視認する画像とを示す模式図である。
【図１２】第５実施形態に係る表示装置の電気的な構成を示すブロック図である。
【図１３】分配回路の構成を示す回路図である。
【図１４】表示装置の動作を示すタイミングチャートである。
【図１５】各単位期間における素子部の表示の内容を示す模式図である。
【図１６】観察者が左眼で視認する画像と右眼で視認する画像とを示す模式図である。
【図１７】第６実施形態に係る表示装置の動作を示すタイミングチャートである。
【図１８】変形例に係る表示装置の電気的な構成を示すブロック図である。
【図１９】電子機器の形態（パーソナルコンピュータ）を示す斜視図である。
【図２０】電子機器の形態（携帯電話機）を示す斜視図である。
【図２１】電子機器の形態（携帯情報端末）を示す斜視図である。
【符号の説明】
【００７７】
１００……表示装置、１０……表示体、Ｑ……素子部、Ｒ……素子行、１２……走査線、１２A……第１走査線、１２B……第２走査線、１４……信号線、Ｅ……表示素子、Ｅ1……第１表示素子、Ｅ2……第２表示素子、３２……走査線駆動回路、３４……信号線駆動回路、３５……分配回路、４０……制御回路、Ｆ……単位期間、Ｔ1……第１期間、Ｔ2……第２期間、Ｐ……素子群、７０……光分離体、７２……開口部、７４……遮光部。
【図１】
0005169683.tif 000002
【図２】
0005169683.tif 000003
【図３】
0005169683.tif 000004
【図４】
0005169683.tif 000005
【図５】
0005169683.tif 000006
【図６】
0005169683.tif 000007
【図７】
0005169683.tif 000008
【図８】
0005169683.tif 000009
【図９】
0005169683.tif 000010
【図１０】
0005169683.tif 000011
【図１１】
0005169683.tif 000012
【図１２】
0005169683.tif 000013
【図１３】
0005169683.tif 000014
【図１４】
0005169683.tif 000015
【図１５】
0005169683.tif 000016
【図１６】
0005169683.tif 000017
【図１７】
0005169683.tif 000018
【図１８】
0005169683.tif 000019
【図１９】
0005169683.tif 000020
【図２０】
0005169683.tif 000021
【図２１】
0005169683.tif 000022